(57)【要約】【課題】記録媒体の端部の浮き上がりを確実に防止し、画像記録時に記録媒体を平坦に保持することができるインクジェット記録装置を提供する。【解決手段】プラテン２と記録ヘッド３１と走査部３３と搬送部２１とを有するインクジェット記録装置１０において、プラテン２との間への記録媒体Ｋの挿入を許容する上昇位置と、プラテン２の上に位置する記録媒体Ｋの両側部の浮き上がりを抑制する下降位置との間で昇降可能に構成されたガイド部材１，１を備える。【選択図】図１
2009137237.tif 000002
【特許請求の範囲】
【請求項１】
記録媒体を支持するプラテンと、
前記記録媒体にインクを吐出する記録ヘッドと、
前記記録ヘッドを走査方向に走査する走査部と、
前記記録媒体を前記走査方向と直交する方向に搬送する搬送部と、を有するインクジェット記録装置において、
前記プラテンとの間の間隙への記録媒体の挿入を許容する上昇位置と、前記プラテンの上に位置する記録媒体の両側部の浮き上がりを抑制する下降位置との間で昇降可能に構成されたガイド部材を備えることを特徴とするインクジェット記録装置。
【請求項２】
前記ガイド部材は、前記上昇位置と前記下降位置とを選択的に取ることを特徴とする請求項１に記載のインクジェット記録装置。
【請求項３】
前記ガイド部材に昇降動作を行わせ前記上昇位置と前記下降位置とを選択的に取らせる昇降駆動機構と、
前記昇降駆動機構の動作制御を行う制御部と、を備え、
前記昇降駆動機構は、前記制御部による動作制御によって、前記プラテンの上に記録媒体の先端部が置かれた際に前記ガイド部材を前記上昇位置まで上昇させ、前記プラテンの上に当該記録媒体が画像記録可能な状態に載置されてから画像記録が開始される直前までに前記ガイド部材を前記下降位置まで下降させるように構成されていることを特徴とする請求項１又は請求項２に記載のインクジェット記録装置。
【請求項４】
記録媒体の厚さを検出する検出部をさらに備え、
前記制御部は、前記検出部により検出された記録媒体の厚さに応じて前記ガイド部材の昇降距離を変更させるよう制御することを特徴とする請求項１から請求項３のいずれか一項に記載のインクジェット記録装置。
【請求項５】
前記昇降駆動機構は、前記ガイド部材及び該ガイド部材に対向する部分のうちの一方に設けられた永久磁石と、他方に設けられた電磁石とを含んで構成され、
前記昇降駆動機構は、前記制御部による電流の向きの変更によって動作制御を行うように構成されていることを特徴とする請求項１から請求項３のいずれか一項に記載のインクジェット記録装置。
【請求項６】
前記ガイド部材は、前記上昇位置又は前記下降位置の一方に向けて付勢され、
前記昇降駆動機構は、前記ガイド部材に設けられた永久磁石と、該ガイド部材の下方部分に設けられた電磁石とを含んで構成され、
前記制御部は、前記電磁石への給電・非給電によって前記昇降駆動機構の動作制御を行うように構成され、
前記昇降駆動機構は前記制御部の給電によって前記一方の位置とは反対の位置に向けて前記ガイド部材を動作させるように構成されていることを特徴とする請求項１から請求項３のいずれか一項に記載のインクジェット記録装置。
【請求項７】
前記昇降駆動機構は、
前記ガイド部材の下方に備えられた押し上げ部材と、
前記制御部の制御により動作制御されるモータと、を備え、
前記モータの動作制御により前記押し上げ部材を前記ガイド部材に接触させて、前記ガイド部材を昇降させるように制御することを特徴とする請求項１から請求項４のいずれか一項に記載のインクジェット記録装置。
【請求項８】
前記押し上げ部材はカムであることを特徴とする請求項７に記載のインクジェット記録装置。
【請求項９】
前記記録媒体の両側部の浮き上がりと対応する位置に前記ガイド部材及び前記昇降駆動機構の組がそれぞれ設けられ、
各組の前記ガイド部材及び前記昇降駆動機構は、前記記録ヘッドの前記走査方向に沿って一体的に移動可能となるように構成されていることを特徴とする請求項１から請求項８のいずれか一項に記載のインクジェット記録装置。
【発明の詳細な説明】
【技術分野】
【０００１】
本発明は、インクジェット記録装置に係り、特に、画像記録時における記録媒体の両側部の浮き上がりを防止するガイド部材を有するインクジェット記録装置に関する。
【背景技術】
【０００２】
従来、記録媒体に対して簡易かつ安価に画像記録を行える装置として、インクジェット記録装置が実用化されている。特に、近年においては、ロール紙や大判の枚葉紙等の一定サイズ以上の記録媒体に画像記録を行う技術が開発されており、このような一定サイズ以上の記録媒体に画像記録を行うインクジェット記録装置では、プラテン上に記録媒体を保持する際に記録媒体の両側部の浮き上がりを防止する為にガイド部材を用いることが広く知られている（例えば、特許文献１参照。）。
このガイド部材を用いたインクジェット記録装置は、例えばロール紙を用いて画像記録を行う際には、装置の操作者が記録媒体をプラテン上に設置した後にガイド部材を記録媒体の両側部にセットし、その後画像記録を開始させるものであり、ガイド部材を一旦セットすればロール紙を使いきるか交換するまでガイド部材を再度セットする作業を行うことはない。
【特許文献１】特開２００４−７４６１０号公報
【発明の開示】
【発明が解決しようとする課題】
【０００３】
このようなガイド部材を用いることで、画像記録時の記録媒体の両側部の浮き上がりを防止し記録媒体表面を平坦に保持することができる。
しかしながら、特許文献１に記載のインクジェット記録装置では、枚葉紙のような形状の記録媒体を用いた場合にはプラテン上に新たな記録媒体が導入される度に操作者が前記したガイド部材をセットする作業を繰り返すこととなり、利便性に欠けるという問題があった。
また、記録媒体を連続して導入して画像記録を行いたい場合には、ガイド部材を一度セットすると、ガイド部材の浮き防止部とプラテンとの間隙は平坦な記録媒体でなければ挿入できない程度の所定間隔で固定されているため、記録媒体の両側部に浮き上がりや反りかえりがあった場合にこのような記録媒体をこの間隙に確実に挿入することは困難であるという問題があった。
また、プラテンとガイド部材の浮き防止部との間隙に確実に記録媒体を挿入させるために当該間隙を広げると、ガイド部材の上方に位置する記録ヘッドとガイド部材とが接触しないように記録ヘッドの配置位置を高く設定する必要がある。このため、記録ヘッドと記録媒体との間隙をも広げることとなり、記録ヘッドから吐出されたインクの飛翔距離が広がって記録される画像の品質が低下するおそれがあった。
【０００４】
本発明は、前記した点に鑑みてなされたものであり、ガイド部材を備えたインクジェット記録装置において、プラテンとガイド部材の浮き防止部との間隙に記録媒体を容易に挿入でき、かつ記録媒体の両側部の浮き上がりを確実に防止することが可能なインクジェット記録装置を提供することを目的とするものである。
【課題を解決するための手段】
【０００５】
前記課題を解決するため、請求項１に記載の発明は、
記録媒体を支持するプラテンと、
前記記録媒体にインクを吐出する記録ヘッドと、
前記記録ヘッドを走査方向に走査する走査部と、
前記記録媒体を前記走査方向と直交する方向に搬送する搬送部と、を有するインクジェット記録装置において、
前記プラテンとの間の間隙への記録媒体の挿入を許容する上昇位置と、前記プラテンの上に位置する記録媒体の両側部の浮き上がりを抑制する下降位置との間で昇降可能に構成されたガイド部材を備えることを特徴とする。
【０００６】
また、請求項２に記載の発明は、請求項１に記載のインクジェット記録装置において、
前記ガイド部材は、前記上昇位置と前記下降位置とを選択的に取ることを特徴とする。
【０００７】
また、請求項３に記載の発明は、請求項１又は請求項２に記載のインクジェット記録装置において、
前記ガイド部材に昇降動作を行わせ前記上昇位置と前記下降位置とを選択的に取らせる昇降駆動機構と、
前記昇降駆動機構の動作制御を行う制御部と、を備え、
前記昇降駆動機構は、前記制御部による動作制御によって、前記プラテンの上に記録媒体の先端部が置かれた際に前記ガイド部材を前記上昇位置まで上昇させ、前記プラテンの上に当該記録媒体が画像記録可能な状態に載置されてから画像記録が開始される直前までに前記ガイド部材を前記下降位置まで下降させるように構成されていることを特徴とする。
【０００８】
また、請求項４に記載の発明は、請求項１から請求項３のいずれか一項に記載のインクジェット記録装置において、
記録媒体の厚さを検出する検出部をさらに備え、
前記制御部は、前記検出部により検出された記録媒体の厚さに応じて前記ガイド部材の昇降距離を変更させるよう制御することを特徴とする。
【０００９】
また、請求項５に記載の発明は、請求項１から請求項３のいずれか一項に記載のインクジェット記録装置において、
前記昇降駆動機構は、前記ガイド部材及び該ガイド部材に対向する部分のうちの一方に設けられた永久磁石と、他方に設けられた電磁石とを含んで構成され、
前記昇降駆動機構は、前記制御部による電流の向きの変更によって動作制御を行うように構成されていることを特徴とする。
【００１０】
また、請求項６に記載の発明は、請求項１から請求項３のいずれか一項に記載のインクジェット記録装置において、
前記ガイド部材は、前記上昇位置又は前記下降位置の一方に向けて付勢され、
前記昇降駆動機構は、前記ガイド部材に設けられた永久磁石と、該ガイド部材の下方部分に設けられた電磁石とを含んで構成され、
前記制御部は、前記電磁石への給電・非給電によって前記昇降駆動機構の動作制御を行うように構成され、
前記昇降駆動機構は前記制御部の給電によって前記一方の位置とは反対の位置に向けて前記ガイド部材を動作させるように構成されていることを特徴とする。
【００１１】
また、請求項７に記載の発明は、請求項１から請求項４のいずれか一項に記載のインクジェット記録装置において、
前記昇降駆動機構は、
前記ガイド部材の下方に備えられた押し上げ部材と、
前記制御部の制御により動作制御されるモータと、を備え、
前記モータの動作制御により前記押し上げ部材を前記ガイド部材に接触させて、前記ガイド部材を昇降させるように制御することを特徴とする。
【００１２】
また、請求項８に記載の発明は、請求項７に記載のインクジェット記録装置において、
前記押し上げ部材はカムであることを特徴とする。
【００１３】
また、請求項９に記載の発明は、請求項１から請求項８のいずれか一項に記載のインクジェット記録装置において、
前記記録媒体の両側部の浮き上がりと対応する位置に前記ガイド部材及び前記昇降駆動機構の組がそれぞれ設けられ、
各組の前記ガイド部材及び前記昇降駆動機構は、前記記録ヘッドの前記走査方向に沿って一体的に移動可能となるように構成されていることを特徴とする。
【発明の効果】
【００１４】
本発明によれば、プラテンとの間の間隙への記録媒体の挿入を許容する上昇位置と、プラテンの上に位置する記録媒体の両側部の浮き上がりを抑制する下降位置との間で昇降可能に構成されたガイド部材を備え、ガイド部材に昇降動作を行わせ上昇位置と下降位置とを選択的に取らせる昇降駆動するよう制御する構成となっている。
このため、記録媒体がガイド部材の浮き防止部とプラテンとの間隙に確実に挿入される一方で、記録媒体の両側部の浮き上がりを確実に防止することができる。この結果、記録媒体と記録ヘッドとの間隔を必要以上に広げることなしに画像記録時の記録媒体が平坦に保持され、よって、高品質な画像記録を実現することができる。
【発明を実施するための最良の形態】
【００１５】
[第１実施形態]
以下、本発明に係る第１実施形態について図面を参照して説明する。但し、発明の範囲はこれに限定されるものではない。
【００１６】
図１はインクジェット記録装置１０の要部構成を示す側面図である。また、図２は記録媒体Ｋが設置されたプラテン２を示す平面図であり、図３は図２のIII‐III線における断面図である。
【００１７】
インクジェット記録装置１０は、記録媒体Ｋ上で記録ヘッド３１を走査させながらインクを吐出させて記録媒体Ｋ上に画像を記録するシリアル方式のインクジェット記録装置である。
【００１８】
本実施形態に用いられる記録媒体Ｋとしては、通常のインクジェット記録装置に適用される普通紙，再生紙，光沢紙等の各種紙，各種布地，各種不織布，樹脂，金属，ガラス等の材質からなる記録媒体が適用可能であり、特に、大判のロール紙や枚葉紙等の一定サイズ以上の幅を有する記録媒体、厚さ１００μｍ前後の上質紙やアート紙、厚さ５００μｍ程度の板紙等が好適である。
【００１９】
図１に示すように、インクジェット記録装置１０には、記録媒体Ｋを下方から支持するプラテン２が備えられている。プラテン２の上方には、走査方向Ｘに沿って往復移動するキャリッジ３が備えられている。
キャリッジ３はプラテン２上で走査領域を走査方向Ｘに沿って往復移動し、この往復移動の際に、記録媒体Ｋの印刷領域Ｔに対して記録ヘッド３１からインクを吐出して画像記録を行うようになっている。
【００２０】
キャリッジ３には、例えば、イエロー（Ｙ）、マゼンタ（Ｍ）、シアン（Ｃ）、ブラック（Ｋ）の各色のインクを吐出する複数の記録ヘッド３１が搭載されている。記録ヘッド３１の吐出面には、下方の記録媒体Ｋに対してインクを吐出する図示しない複数のノズルが設けられている。
また、記録ヘッド３１の走査方向Ｘにおける両側外方には、記録媒体Ｋに着弾したインクに対して光を照射する光照射部３２，３２が備えられている。光照射部３２，３２は、例えば紫外線等の活性エネルギー線を含んだ光を記録媒体Ｋに向けて照射するものであり、記録媒体Ｋに着弾したインクに光を照射して硬化させるようになっている。
【００２１】
また、プラテン２には、当該プラテン２との間の間隙への記録媒体Ｋの挿入を許容する上昇位置と、プラテン２の上に位置する記録媒体Ｋの両側部の浮き上がりを抑制する下降位置との間で昇降可能に構成された一対のガイド部材１，１が設置されている。一対のガイド部材１，１は、後述する昇降駆動機構５により昇降駆動可能となっている。
プラテン２には、ガイド部材１，１を走査方向Ｘに沿って例えば手動により移動可能とするガイド溝４ａ，４ｂが形成されており、設置された記録媒体Ｋの幅に応じてガイド部材１，１の幅が変更されるようになっている。
【００２２】
以下、このようなガイド部材１，１について具体的に説明する。
一対のガイド部材１，１のそれぞれは互いに同一の構造を有するものであるため、このうち１つのガイド部材１の構成について説明する。
図１から図３に示すように、ガイド部材１は、プラテン２の上方においてプラテン２の上面と略平行な平板直方形状の浮き防止部１１を有している。
浮き防止部１１は、その長手方向が記録媒体Ｋの側部と沿うように配置されている。浮き防止部１１の下側には、浮き防止部１１の走査方向Ｘの外方側を下方から支持する支持部１２が備えられている。したがって、浮き防止部１１の走査方向Ｘの内方側は、プラテン２と一定距離を維持しつつ開放されている。支持部１２の長手方向の両端部は下方に向かって折れ曲がってガイド溝４ａ，４ｂにそれぞれ挿入され、その先端部１３ａ，１３ｂはプラテン２の下方において互いに対向する方向に折れ曲がっている。
一対のガイド部材１，１は、浮き防止部１１の開放された側部が対向するよう左右対称に配置され、この開放側部の下方に記録媒体Ｋが挿入された際に、記録媒体Ｋの両側部であって印刷領域Ｔの外部となる位置を上部から押えるようになっている。
【００２３】
図３に示すように、ガイド部材１の下方には、ガイド部材１に昇降動作を行わせ、上昇位置と下降位置とを選択的に取らせるための昇降駆動機構５が設けられている。
本実施形態における昇降駆動機構５は、先端部１３ａ，１３ｂの下面にそれぞれ備えられた永久磁石５１，５１と、先端部１３ａ，１３ｂの下方において永久磁石５１，５１と対向する位置に備えられた電磁石５２，５２と、を備えている。
永久磁石５１，５１と電磁石５２，５２とは、両者間で発生する磁界に応じて吸着又は反発する性質を有しているため、電磁石５２，５２の電流の向きを変更して通電極性を反転させることで、永久磁石５１，５１を上下方向に動作させるようになっている。すなわち、永久磁石５１，５１と電磁石５２，５２とが反発しあう場合にはこの反発動作に伴ってガイド部材１は上昇し、永久磁石５１，５１と電磁石５２，５２とが吸着しあう場合にはこの吸着動作に伴ってガイド部材１は下降するようになっている。
【００２４】
この昇降駆動機構５は、一対のガイド部材１，１のそれぞれに備えられており、一対のガイド部材１，１は同時に昇降するようになっている。
【００２５】
また、図３に示すように、ガイド部材１の下方には、その内部に昇降駆動機構５を収納するとともに、その上面開口部から内部に向けて先端部１３ａ，１３ｂが挿入された箱状の保持部材１４が設けられている。
保持部材１４は、その上面が開放されているためガイド部材１の昇降を妨げることはなく、且つガイド部材１が走査方向Ｘに移動した際には、保持部材１４の開口縁の一方に先端部１３ａ，１３ｂが当接するためガイド部材１と保持部材１４とは一体的に走査方向Ｘに移動するようになっている。
このように、ガイド部材１と昇降駆動機構５とが一つの組として保持部材１４によって連結されているため、記録媒体Ｋの幅に応じてガイド部材１，１のどちらかをガイド溝４ａ，４ｂに沿ってスライドさせその幅を変更した場合、昇降駆動機構５，５も同時に移動するようになっている。
【００２６】
また、プラテン２には、走査方向Ｘと直交する搬送方向Ｙに沿って記録媒体Ｋを搬送するための搬送部２１（図４参照）が備えられており、搬送部２１によって記録媒体Ｋが搬送方向Ｙの上流側から下流側に間欠的に搬送されるようになっている。
【００２７】
また、プラテン２には、新たな記録媒体Ｋがプラテン２上に導入されたことを検知する第１センサー２２（図４参照）が備えられている。
また、プラテン２上の走査領域には、プラテン２上に記録媒体Ｋが画像記録可能な状態にセットされたことを検知する第２センサー２３（図４参照）が備えられている。
【００２８】
また、プラテン２の一側方（走査領域の外部）には、待機時や一時停止時等にキャリッジ３が位置する図示しないホームポジションが設けられており、ホームポジションには、各記録ヘッド３１の吐出面やノズル部分を覆ってノズルの保湿状態を維持する複数の保湿キャップなどが備えられている。
【００２９】
次に、インクジェット記録装置１０の制御構成について説明する。図４はインクジェット記録装置１０の制御構成を示すブロック図である。
【００３０】
図４に示すように、本実施形態のインクジェット記録装置１０には、制御部６が備えられており、制御部６には、搬送部２１、第１センサー２２、第１センサー２３、記録ヘッド３１、光照射部３２，３２、走査部３３、昇降駆動機構５、及び画像処理部６１等が電気的に接続されている。
また、インクジェット記録装置１０には、ホストシステム６２が接続されている。ホストシステム６２にはネットワークを通じて外部装置（図示せず）が接続されており、ホストシステム６２及び外部装置は、インタフェース（I／Ｆ）６３を介して記録用の画像データをインクジェット記録装置１０に送るほか、インクジェット記録装置１０の全体の動作制御や各種印刷条件等の設定を行うための入力を行うようになっている。また、ホストシステム６２及び外部装置においては、記録ヘッド３１を駆動する駆動周波数の設定のための入力などを行うことも可能となっている。
【００３１】
制御部６は、ＣＰＵ（Central Processing Unit）、ＲＯＭ(Read Only Memory)、ＲＡＭ（Random Access Memory）（いずれも図示せず）等により構成されている。制御部６のＲＯＭには、上記各部を制御するための制御プログラム及び各種処理プログラムが記録されており、ＲＡＭにはＣＰＵによる作業領域が備えられている。ＣＰＵは、この制御プログラム及び各種処理プログラムとの協働により各部の動作を統括的に制御する。
【００３２】
例えば、制御部６は、プラテン２の上に記録媒体Kの先端部が置かれた際にガイド部材１，１を上昇位置まで上昇させ、プラテン２の上に当該記録媒体Kが画像記録可能な状態に載置されてから画像記録が開始される直前までにガイド部材１，１を下降位置まで下降させるように昇降駆動機構５の動作制御を行う。
【００３３】
次に、本実施形態におけるインクジェット記録装置１０の動作について説明する。
【００３４】
まず、ホストシステム６２や図示しない外部装置からインタフェース（I／Ｆ）６３を介して入力された画像データがインクジェット記録装置１０に送られると、制御部６は、送られた画像データに画像処理部６１で復号化処理等の所定の処理を行い、画像処理部６１に備えられた図示しない記録部（メモリ）等に記録させる。そして、画像記録に必要なデータが全て揃うと、制御部６はホストシステム６２からの設定条件などに基づいて、記録動作に移行するように装置各部の制御を行う。
【００３５】
一方で、制御部６は、第１センサー２２からの信号に基づいて、新たな記録媒体Ｋがプラテン２上に導入されたか否かの判断を行い（ステップＳ１）、新たな記録媒体Ｋが導入されていないと判断した場合（ステップＳ１：Ｎｏ）には、前記判断を繰り返す。
新たな記録媒体Ｋが導入されたと判断した場合（ステップＳ１：Ｙｅｓ）、制御部６はキャリッジ３がホームポジションに位置していることを確認した後、電磁石５２，５２が永久磁石５１，５１と反発するよう制御して両者に反発動作をさせる。この反発動作に伴って、永久磁石５１，５１ひいてはガイド部材１を記録媒体Ｋの挿入を許容する位置まで上昇させる（ステップＳ２）。
ガイド部材１を上昇させると、制御部６は搬送部２１を作動させ、搬送方向Ｙに沿って記録媒体Ｋの搬送を開始させる（ステップＳ３）。
【００３６】
記録媒体Ｋの搬送時においては、制御部６は第２センサー２３からの信号に基づいて、記録媒体Ｋの先端部が走査領域に達したか否かの判断を行う（ステップＳ４）。
そして、記録媒体Ｋの先端部が走査領域に達したとの判断がなされると（ステップＳ４：Ｙｅｓ）、制御部６は再び電磁石５２，５２が永久磁石５１，５１と吸着するよう制御して両者に吸着動作をさせる。この吸着動作に伴って、ガイド部材１を記録媒体Ｋの両側部の浮き上がりを抑制する位置まで下降させる（ステップＳ５）。この結果、ガイド部材１の浮き防止部１１は、記録媒体Ｋに浮き上がり等があった場合においても記録媒体Ｋと記録ヘッド３１との接触が防止されるよう、記録媒体Ｋの上方からその両側部を抑えることとなる。なお、浮き防止部１１の浮き上がりの抑制とは、あくまで記録媒体Ｋを平坦に保つ程度のものであって、浮き防止部１１の下降により記録媒体Ｋの搬送が妨げられることがないのは勿論である。
次いで、記録媒体Ｋの先端部が予め設定された所定位置に達すると、制御部６は搬送部２１を停止させることで記録媒体Ｋの搬送を停止させる（ステップＳ６）。
【００３７】
記録媒体Ｋの停止中においては、制御部６はキャリッジ３の走査部３３を作動させて記録媒体Ｋの走査領域を往復移動させる。この往復移動に伴って、記録ヘッド３１及び光照射部３２，３２は走査方向Ｘに沿って往復移動する。このとき、制御部６は、記録ヘッド３１のノズルから記録媒体Ｋの記録面に向かってインクを吐出させるとともに、２つの光照射部３２，３２から記録媒体Ｋの記録面に向かって活性エネルギー線を照射させることで、記録媒体Ｋの印刷領域Ｔに画像が記録される（ステップＳ７）。
【００３８】
次いで、記録媒体Ｋの印刷領域Ｔに対する画像記録が終了すると、画像記録操作を終了するか否か判断し（ステップＳ８）、作業を終了しない場合には、以下、ステップＳ１〜ステップＳ７を繰り返す。
【００３９】
以上のように、本実施形態におけるインクジェット記録装置１０によれば、記録媒体Ｋがガイド部材１，１とプラテン２との間隙に確実に挿入される一方で、記録媒体Ｋの両側部の浮き上がりを確実に防止することができる。この結果、記録媒体Ｋと記録ヘッド３１との間隔を必要以上に広げることなしに画像記録時の記録媒体Ｋが平坦に保持され、よって、高品質な画像記録を実現することができる。
【００４０】
なお、本実施形態においては、昇降駆動機構５は永久磁石５１，５１と電磁石５２，５２とからなり、両者間で通電極性を反転させることでガイド部材１を上昇・下降させるものとして説明したが、上昇・下降を実行する駆動の動力としては通電極性の反転に限定するものではなく、例えば、電磁石５２，５２の給電・非給電の切り替えにより実行してもよい。
この場合には、例えば、電磁石５２，５２が給電された状態において反発力によってガイド部材１を上昇させ、電磁石５２，５２が非給電の状態においてガイド部材１を重力による付勢によって（つまり自重によって）下降させるようにすることができる。
【００４１】
また、例えば、永久磁石５１，５１と電磁石５２，５２との間に、ガイド部材１に上方に向かって付勢力を与えるための付勢部材（例えば、バネ）を設けることとしてもよい。
こうした場合、制御部６は、電磁石５２，５２の給電・非給電の切り替えを行い、例えば、電磁石５２，５２が給電された状態においては永久磁石５１，５１と電磁石５２，５２とが吸着するように制御することによってガイド部材１を下降させる。
一方、電磁石５２，５２が非給電の状態においては永久磁石５１，５１と電磁石５２，５２との間に磁界は発生しないため、付勢部材の上向きの付勢力によってガイド部材１が上昇される。
【００４２】
なお、永久磁石５１，５１も電磁石とし、その励磁極性を制御するように構成することも可能である。
【００４３】
その他、本発明が上記実施形態に限らず適宜変更可能であるのは勿論である。
【００４４】
[第２実施形態]
次に、本発明の第２実施形態について説明する。なお、第２実施形態は、昇降駆動機構の構成が第１実施形態と異なるものであるため、以下、特にこの点について説明する。
【００４５】
。
図６は本実施形態にかかるインクジェット記録装置（図示せず）に備えられる昇降駆動機構８の要部構成を示す図であり、図７は昇降駆動機構８の動作を説明するための概略図である。
本実施形態において、昇降駆動機構８は第１実施形態と同様、ガイド部材１，１のそれぞれに備えられているため、このうち１つの昇降駆動機構８について説明する。
【００４６】
図６に示すように、本実施形態における昇降駆動機構８は、先端部１３ａ，１３ｂをそれぞれ下方から押し上げるための押し上げ部材としてのカム部材８１ａ，８１ｂと、カム部材８１ａ，８１ｂを駆動させるためのモータ（図示せず）と、を備えている。
図７に示すように、カム部材８１ａ，８１ｂは楕円形状を有しており、回転軸Ｐがこのカム部材８１ａ，８１ｂの中心位置からずれた位置となるよう構成されている。カム部材８１ａ，８１ｂはモータの駆動により回転し、その一部が上記した支持部１２の先端部１３ａ，１３ｂの下面と接触した状態を保つことで、ガイド部材１，１を上昇、下降させることとなっている。
【００４７】
また、このときカム部材８１ａ，８１ｂの回転角度θを調整することで、ガイド部材１，１の昇降距離を調整することが可能である。
具体的には、例えば、検出部としての第１センサー２２により新たな記録媒体Ｋが導入された際に、記録媒体Ｋの幅、及び単位面積当たりの重量を計測して、ホストシステム６２により予め設定された記録媒体Ｋの種類に応じて記録媒体Ｋの厚さを算出し、この厚さに基づいてカム部材８１ａ，８１ｂの回転角度θ１を決定する。そして、所望の角度θ１となる位置までカム部材８１ａ，８１ｂを回転軸Ｐを中心に回転させ、カム部材８１ａ，８１ｂによってガイド部材１，１を上方向に押し上げることにより、ガイド部材１，１の昇降距離（ｈ1−ｈ0）を実現することができる。
また、回転角度θ＝θ２＝９０°となったとき、最大昇降距離（ｈ2−ｈ0）を実現することができる。
なお、回転角度θを調整する手法はここに例示したものに限定されない。
【００４８】
また、インクジェット記録装置は、第１実施形態と同様のＣＰＵ、ＲＯＭ、ＲＡＭ等を備える制御部（図示せず）を備えており、ＲＯＭ等には、記録条件としての記録媒体の種類及び記録媒体Ｋの厚さとカム部材８１ａ，８１ｂの回転角度θ（ガイド部材１，１の昇降距離ｈ）とを対応付けた角度決定ＬＵＴが記録されている。
【００４９】
なお、その他の構成は、第１の実施形態に示したものとほぼ同様であるため、その説明を省略する。
【００５０】
以上のように、本実施形態におけるインクジェット記録装置では、記録媒体Ｋがガイド部材１，１とプラテン２との間隙に確実に挿入される一方で、記録媒体Ｋの両側部の浮き上がりを確実に防止することができる。この結果、記録媒体Ｋと記録ヘッド３１との間隔を必要以上に広げることなしに画像記録時の記録媒体Ｋが平坦に保持され、よって、高品質な画像記録を実現することができる。
また、ガイド部材１，１の昇降距離が設定できるため、記録媒体Ｋの厚さに応じてガイド部材１，１とプラテン２との間隙を調整することができる。
【００５１】
なお、保持部材１４と先端部１３ａ，１３ｂとの間に、例えばバネ等を設け、カム部材８１ａ，８１ｂを確動カムとすることもできる。
このように構成した場合、ガイド部材１，１の昇降動作をより確実に実現することが可能である。
【００５２】
また、本実施形態においては、制御部が記録媒体Ｋの厚さに応じてガイド部材１，１の昇降距離を決定することとしているが、記録媒体Ｋの種類に応じて昇降距離をユーザが予め設定し、この設定に基づいた距離をガイド部材１，１に昇降させるようにすることも可能である。
【００５３】
その他、本発明が上記実施の形態に限らず適宜変更可能であるのは第１実施形態と同様である。
【図面の簡単な説明】
【００５４】
【図１】第１実施形態のインクジェット記録装置の要部構成を示す側面図である。
【図２】記録媒体Ｋが設置されたプラテンを示す平面図である。
【図３】図２のIII‐III線における断面図である。
【図４】図１に示すインクジェット記録装置の制御構成を示すブロック図である。
【図５】図１に示すインクジェット記録装置の動作を説明するためのフローチャートである。
【図６】第２実施形態のインクジェット記録装置の要部構成を示す図である。
【図７】カム部材の昇降駆動を説明するための図である。
【符号の説明】
【００５５】
１０    インクジェット記録装置
１  ガイド部材
１１              浮き防止部
１２              支持部
１３ａ，１３ｂ    先端部
１４              保持部材
２  プラテン
２１              搬送部
２２              第１センサー
２３              第２センサー
３  キャリッジ
３１              記録ヘッド
３２，３２        光照射部
３３              走査部
４ａ，４ｂ            ガイド溝
５  昇降駆動機構
５１，５１        永久磁石
５２，５２        電磁石
５３              付勢部材
６  制御部
６１              画像処理部
６２              ホストシステム
６３              インターフェース
８  昇降駆動機構
８１ａ，８１ｂ    カム部材
Ｋ  記録媒体
Ｔ  印刷領域
【図１】
2009137237.tif 000003
【図２】
2009137237.tif 000004
【図３】
2009137237.tif 000005
【図４】
2009137237.tif 000006
【図５】
2009137237.tif 000007
【図６】
2009137237.tif 000008
【図７】
2009137237.tif 000009